(57)【特許請求の範囲】
【請求項１】
音を音信号に変換し出力する第１出力手段と、入力される音信号を音に変換し放音する放音手段とを備え、前記第１出力手段および前記放音手段と回線とが接続され、その回線を介して外部の通信装置との間で音信号の送受信を行う通信装置において、
前記回線と前記第１出力手段とが接続される経路間のインピーダンス、および、前記回線と前記放音手段とが接続される経路間のインピーダンスを整合させる２線４線変換手段と、
その２線４線変換手段を介して、音信号の大きさが第１設定値である調査信号を前記回線に出力する第２出力手段と、
その第２出力手段により前記調査信号が出力された場合に、前記通信装置と前記回線との経路間のインピーダンスの不整合により生じる側音信号の大きさを検出する検出手段と、
その検出手段により検出される前記側音信号の大きさに基づいて、前記第１出力手段から出力される音信号の大きさを低下させる信号制御手段とを備え、
前記信号制御手段は、
前記検出手段により検出される前記側音信号の大きさを示す値が第２設定値以下であるかを判定する第１判定手段と、
その第１判定手段により前記側音信号の大きさを示す値が前記第２設定値を超えていると判定される場合に、前記検出手段により検出される前記側音信号の大きさを示す値と前記第２設定値との差分を算出する算出手段とを備え、
その算出手段により算出される差分が所定値以下である場合に、前記第１出力手段から出力される音信号を、前記算出手段により算出された差分に応じた大きさに低下させ、前記算出手段により算出される差分が前記所定値を超えている場合に、前記第１出力手段から出力される音信号を、前記所定値に応じた大きさに低下させることを特徴とする通信装置。
【請求項２】
音を音信号に変換し出力する第１出力手段と、入力される音信号を音に変換し放音する放音手段とを備え、前記第１出力手段および前記放音手段と回線とが接続され、その回線を介して外部の通信装置との間で音信号の送受信を行う通信装置において、
前記回線と前記第１出力手段とが接続される経路間のインピーダンス、および、前記回線と前記放音手段とが接続される経路間のインピーダンスを整合させる２線４線変換手段と、
その２線４線変換手段を介して、音信号の大きさが第１設定値である調査信号を前記回線に出力する第２出力手段と、
その第２出力手段により前記調査信号が出力された場合に、前記通信装置と前記回線との経路間のインピーダンスの不整合により生じる側音信号の大きさを検出する検出手段と、
その検出手段により検出される前記側音信号の大きさに基づいて、前記第１出力手段から出力される音信号の大きさを低下させる信号制御手段と、
前記第１出力手段から出力される音信号の大きさを示す値が第３設定値以下であるかを判定する第２判定手段と、
その第２判定手段により前記第１出力手段から出力される音信号の大きさを示す値が前記第３設定値を超えていると判定される場合に、前記放音手段に入力される音信号の大きさを低下させる信号減衰手段とを備えていることを特徴とする通信装置。
【請求項３】
前記２線４線変換手段は、
前記回線と前記第１出力手段および前記放音手段との間に接続され、それぞれがインピーダンス特性を有する複数のインピーダンス回路と、
前記回線と前記第１出力手段および前記放音手段との間に１以上の前記インピーダンス回路を接続する接続手段と、
前記第２出力手段により前記調査信号が出力される場合に、前記検出手段により検出される前記側音信号の大きさを示す値が最も小さくなるインピーダンス回路を、前記接続手段により接続する接続制御手段とを備えていることを特徴とする請求項１又は２に記載の通信装置。
【請求項４】
前記第２出力手段は、前記調査信号として、音信号の大きさが前記第１所定値であり、周波数が異なる複数の音信号を前記回線に出力し、
前記検出手段は、前記側音信号の大きさを前記複数の異なる周波数について検出し、
前記信号制御手段は、前記検出手段により検出される前記周波数が異なる複数の側音信号の大きさに基づいて、前記第１出力手段から出力される音信号の大きさを低下させることを特徴とする請求項１から３のいずれかに記載の通信装置。
【発明の詳細な説明】
【技術分野】
【０００１】
本発明は、通信装置に関するものである。
【背景技術】
【０００２】
従来より、電話回線を介して相手側の通信装置との間で音声信号の送受信を行うことで通話可能な通信装置が知られている。この種の通信装置では、一方の通信装置から他方の通信装置へ音声信号を送信した場合に、各通信装置と電話回線とを接続する経路が既定のインピーダンスで整合されていないと、受話器のマイクから出力された音声信号が全て電話回線に入力されずに、一部の音声信号が受話器のスピーカに入力される。その音声信号が受話器のスピーカから放音されると、通話中の音声に反響（エコー）が生じてしまう。次の特許文献１には、小さなホワイトノイズ（雑音）信号を生成し、回線を介して受信する音声信号にホワイトノイズ（雑音）信号を合成して、スピーカら放音させることで、ユーザが分からない程度に反響を軽減する技術が記載されている。
【特許文献１】特開２００６−１９９８３号公報（００３６段落など）
【発明の開示】
【発明が解決しようとする課題】
【０００３】
しかしながら、上述した特許文献１に記載された技術では、受話器のスピーカから常にホワイトノイズ（雑音）に応じた音が放音されるので、通話中の音声品質が低下するという問題点があった。
【０００４】
本発明は上述した問題点を解決するためになされたものであり、生じる側音信号に応じて、通話中の反響を抑制して通話品質を向上させることができる通信装置を提供することを目的とする。
【課題を解決するための手段】
【０００５】
この目的を達成するために、請求項１記載の通信装置は、音を音信号に変換し出力する第１出力手段と、入力される音信号を音に変換し放音する放音手段とを備え、前記第１出力手段および前記放音手段と回線とが接続され、その回線を介して外部の通信装置との間で音信号の送受信を行うものであり、前記回線と前記第１出力手段とが接続される経路間のインピーダンス、および、前記回線と前記放音手段とが接続される経路間のインピーダンスを整合させる２線４線変換手段と、その２線４線変換手段を介して、音信号の大きさが第１設定値である調査信号を前記回線に出力する第２出力手段と、その第２出力手段により前記調査信号が出力された場合に、前記通信装置と前記回線との経路間のインピーダンスの不整合により生じる側音信号の大きさを検出する検出手段と、その検出手段により検出される前記側音信号の大きさに基づいて、前記第１出力手段から出力される音信号の大きさを低下させる信号制御手段とを備え、前記信号制御手段は、前記検出手段により検出される前記側音信号の大きさを示す値が第２設定値以下であるかを判定する第１判定手段と、その第１判定手段により前記側音信号の大きさを示す値が前記第２設定値を超えていると判定される場合に、前記検出手段により検出される前記側音信号の大きさを示す値と前記第２設定値との差分を算出する算出手段とを備え、その算出手段により算出される差分が所定値以下である場合に、前記第１出力手段から出力される音信号を、前記算出手段により算出された差分に応じた大きさに低下させ、前記算出手段により算出される差分が前記所定値を超えている場合に、前記第１出力手段から出力される音信号を、前記所定値に応じた大きさに低下させる。
【０００８】
請求項２記載の通信装置は、音を音信号に変換し出力する第１出力手段と、入力される音信号を音に変換し放音する放音手段とを備え、前記第１出力手段および前記放音手段と回線とが接続され、その回線を介して外部の通信装置との間で音信号の送受信を行うものであり、前記回線と前記第１出力手段とが接続される経路間のインピーダンス、および、前記回線と前記放音手段とが接続される経路間のインピーダンスを整合させる２線４線変換手段と、その２線４線変換手段を介して、音信号の大きさが第１設定値である調査信号を前記回線に出力する第２出力手段と、その第２出力手段により前記調査信号が出力された場合に、前記通信装置と前記回線との経路間のインピーダンスの不整合により生じる側音信号の大きさを検出する検出手段と、その検出手段により検出される前記側音信号の大きさに基づいて、前記第１出力手段から出力される音信号の大きさを低下させる信号制御手段と、前記第１出力手段から出力される音信号の大きさを示す値が第３設定値以下であるかを判定する第２判定手段と、その第２判定手段により前記第１出力手段から出力される音信号の大きさを示す値が前記第３設定値を超えていると判定される場合に、前記放音手段に入力される音信号の大きさを低下させる信号減衰手段とを備えている。
【０００９】
請求項３記載の通信装置は、請求項１又は２に記載の通信装置において、前記２線４線変換手段は、前記回線と前記第１出力手段および前記放音手段との間に接続され、それぞれがインピーダンス特性を有する複数のインピーダンス回路と、前記回線と前記第１出力手段および前記放音手段との間に１以上の前記インピーダンス回路を接続する接続手段と、前記第２出力手段により前記調査信号が出力される場合に、前記検出手段により検出される前記側音信号の大きさを示す値が最も小さくなるインピーダンス回路を、前記接続手段により接続する接続制御手段とを備えている。
【００１０】
請求項４記載の通信装置は、請求項１から３のいずれかに記載の通信装置において、前記第２出力手段は、前記調査信号として、音信号の大きさが前記第１所定値であり、周波数が異なる複数の音信号を前記回線に出力し、前記検出手段は、前記側音信号の大きさを前記複数の異なる周波数について検出し、前記信号制御手段は、前記検出手段により検出される前記周波数が異なる複数の側音信号の大きさに基づいて、前記第１出力手段から出力される音信号の大きさを低下させる。
【発明の効果】
【００１１】
請求項１記載の通信装置によれば、各経路間のインピーダンスを整合する２線４線変換手段を介して回線に、音信号の大きさが第１設定値である調査信号が第２出力手段により出力される。その調査信号が出力された場合に、通信装置と回線との経路間のインピーダンスの不整合により生じる側音信号の大きさが検出手段により検出され、その検出される側音信号の大きさに基づいて、第１出力手段から出力される音信号の大きさが信号制御手段により低下させられる。第１出力手段から回線に出力される音信号の大きさを低下させれば、発生する側音信号の大きさも低下するので、放音手段に入力される側音信号の大きさを低下させることができる。よって、検出手段により検出される側音信号の大きさに基づいて、放音手段に入力される側音信号の大きさを低下させることができるので、側音信号により生じる通話中の反響を抑制して通話品質を向上させることができるという効果がある。
【００１２】
また、信号制御手段の検出手段により検出される側音信号の大きさを示す値が第２設定値以下であるかが第１判定手段により判定され、側音信号の大きさを示す値が第２設定値を超えていると判定される場合に、検出手段により検出される側音信号の大きさを示す値と第２設定値との差分が算出手段により算出される。その差分が所定値以下である場合には、第１出力手段から出力される音信号が、算出手段により算出された差分に応じた大きさに低下させられる。よって、第１出力手段から出力される音信号を、側音信号の大きさと第２設定値との差分に応じた大きさに低下させることができ、第１出力手段から出力された音信号が、必要以上に低下することを防止することができるという効果がある。
【００１３】
更に、信号制御手段は、算出手段により算出される差分が所定値を超えている場合に、第１出力手段から出力される音信号を、所定値に応じた大きさに低下させる。よって、算出手段により算出される差分が所定値を超えていたとしても、第１出力手段から出力される音信号は、所定値に応じた値までしか低下しないので、外部の通信装置に送信される音信号が低下しすぎて、外部の通信装置において音信号の受信が困難となることを抑制することができるという効果がある。
【００１４】
請求項２記載の通信装置によれば、各経路間のインピーダンスを整合する２線４線変換手段を介して回線に、音信号の大きさが第１設定値である調査信号が第２出力手段により出力される。その調査信号が出力された場合に、通信装置と回線との経路間のインピーダンスの不整合により生じる側音信号の大きさが検出手段により検出され、その検出される側音信号の大きさに基づいて、第１出力手段から出力される音信号の大きさが信号制御手段により低下させられる。第１出力手段から回線に出力される音信号の大きさを低下させれば、発生する側音信号の大きさも低下するので、放音手段に入力される側音信号の大きさを低下させることができる。よって、検出手段により検出される側音信号の大きさに基づいて、放音手段に入力される側音信号の大きさを低下させることができるので、側音信号により生じる通話中の反響を抑制して通話品質を向上させることができるという効果がある。
また、第１出力手段から出力される音信号の大きさを示す値が第３設定値以下であるかが第２判定手段により判定され、第１出力手段から出力される音信号の大きさを示す値が第３設定値を超えていると判定される場合に、放音手段に入力される音信号の大きさが信号減衰手段により低下させられる。側音信号は、主に第１出力手段から出力される音信号の一部であるので、第１出力手段から音信号が出力されている場合に生じる。第１出力手段から音信号の大きさが第３設定値を超えている場合には、放音手段に入力される音信号の大きさを低下させることができるので、通話中の反響をさらに抑制して通話品質をさらに向上させることができるという効果がある。
【００１５】
請求項３記載の通信装置によれば、請求項１又は２に記載の通信装置の奏する効果に加え、第２出力手段により調査信号が出力される場合、接続制御手段は、回線と第１出力手段および放音手段との間に、検出手段により検出される側音信号の大きさを示す値が最も小さくなるインピーダンス回路を接続手段により接続するので、側音信号の大きさを最も低下させることができる。よって、生じる側音信号を最も低下させることができるので、放音手段に入力される側音信号の大きさを低下させることができ、反響を抑制して通話品質を向上させることができるという効果がある。
【００１６】
請求項４記載の通信装置によれば、請求項１から３のいずれかに記載の通信装置の奏する効果に加え、音信号の大きさが第１所定値であり、周波数が異なる複数の音信号が回線に第２出力手段により出力され、生じる側音信号の大きさが、複数の異なる周波数について検出手段により検出される。検出手段により検出される周波数が異なる複数の側音信号の大きさに基づいて、第１出力手段から出力される音信号の大きさが信号制御手段により低下させられる。よって、回線が有する周波数特性に応じて、生じる側音信号の大きさを低下させることができるという効果がある。例えば、回線の線路長や、材質の特性などにより、回線の周波数特性が変化するので、そのような変化に応じて、通話中の反響を抑制することができるという効果がある。
【発明を実施するための最良の形態】
【００１７】
以下、本発明の好ましい実施形態について、添付図面を参照して説明する。図１は、本発明の実施形態における通信装置を有した多機能周辺装置（以下、「ＭＦＰ（Ｍｕｌｔｉ  Ｆｕｎｃｔｉｏｎ  Ｐｅｒｉｐｈｅｒａｌ）」と称する）１の電気的構成を示したブロック図である。ＭＦＰ１は、電話回線網１００を介して接続される外部の通信装置（図示しない）と通話可能に構成されている。
【００１８】
本実施形態のＭＦＰ１は、電話回線網１００を介して、外部の通信装置（図示しない）との間で通話を行っている場合に、ＭＦＰ１と、ＭＦＰ１が接続される電話回線Ｌとのインピーダンスの不整合によって生じる音声の反響（エコー）を抑制するものである。
【００１９】
次に、ＭＦＰ１の電気的構成について説明する。ＭＦＰ１は、ＣＰＵ１１、ＲＯＭ１２、ＲＡＭ１３、フラッシュメモリ１４、操作ボタン１５、ＬＣＤ１６、スキャナ２１、プリンタ２２、モデム２３、送受話器２４、２線−４線変換回路２５、ＮＣＵ２６を主に有している。
【００２０】
ＣＰＵ１１、ＲＯＭ１２、ＲＡＭ１３、及びフラッシュメモリ１４は、バスライン２８を介して互いに接続されている。また、モデム２３と送受話器２４とは２線−４線変換回路２５に接続され、２線−４線変換回路２５はＮＣＵ２６に接続されている。更に、操作ボタン１５、ＬＣＤ１６、スキャナ２１、プリンタ２２、モデム２３、送受話器２４、２線−４線変換回路２５、ＮＣＵ２６、及びバスライン２８は、入出力ポート２９を介して互いに接続されている。
【００２１】
ＣＰＵ１１は、ＲＯＭ１２やＲＡＭ１３やフラッシュメモリ１４に記憶される固定値やプログラム或いは、ＮＣＵ２６を介して送受信される各種信号に従って、ＭＦＰ１が有している各機能の制御や、入出力ポート２９と接続された各部を制御する演算装置である。
【００２２】
ＲＯＭ１２は、ＭＦＰ１で実行される制御プログラムなどを格納した書換可能な不揮発性のメモリである。図４のフローチャートに示す音質調整処理、および図５のフローチャートに示すインピーダンス整合処理を実行する各プログラムは、このＲＯＭ１２に格納されている。
【００２３】
また、ＲＯＭ１２には、スイッチ設定テーブルメモリ１２ａが設けられている。このスイッチ設定テーブルメモリ１２ａは、後述するインピーダンス整合処理（図５参照）により使用されるスイッチ設定テーブルが記憶されるメモリである。
【００２４】
ここで、図２を参照してスイッチ設定テーブルについて説明する。図２は、スイッチ設定テーブルの内容を模式的に示した模式図である。スイッチ設定テーブルは、後述する２線−４線変換回路２５（図３参照）の中に設けられている５のスイッチＳＷ１〜ＳＷ５の状態を個別に設定する（切り替える）ためのテーブルである。詳細については後述するが、それぞれのスイッチＳＷ１〜ＳＷ５を切り替えることにより、ＭＦＰ１の出力インピーダンスを３２種類の値に変化させて、ＭＦＰ１と、ＭＦＰ１が接続される電話回線Ｌとのインピーダンスを整合させることができる。
【００２５】
スイッチ設定テーブルは、スイッチ設定番号ｎと、スイッチ設定番号ｎに対応する各スイッチＳＷ１〜ＳＷ５の設定フラグとにより構成されており、一のスイッチ設定番号毎に、その一のスイッチ設定番号に対応するスイッチＳＷ１の設定フラグ、スイッチＳＷ２の設定フラグ、スイッチＳＷ３の設定フラグ、スイッチＳＷ４の設定フラグ、及びスイッチＳＷ５の設定フラグとが関連づけられている。また、このスイッチ設定テーブルには、スイッチＳＷ１〜ＳＷ５を用いて設定可能な全て（３２通り）のスイッチ設定が含まれている。
【００２６】
設定フラグとは、スイッチＳＷ１〜ＳＷ５の状態をオン（短絡状態）に設定するのか、オフ（開放状態）に設定するのかを示すフラグであり、この設定フラグがオフ（例えば、「０」）であれば、その設定フラグに対応するスイッチＳＷ１〜ＳＷ５の状態がオフに設定されて、そのスイッチＳＷ１〜ＳＷ５の両端が開放されることになる。一方、設定フラグがオン（例えば、「１」）であれば、その設定フラグに対応するスイッチＳＷ１〜ＳＷ５の状態がオンに設定され、そのスイッチＳＷ１〜ＳＷ５の両端が短絡されることになる。
【００２７】
例えば、図２に示すように、スイッチ設定番号「１」には、スイッチＳＷ１の設定フラグ「０」と、スイッチＳＷ２の設定フラグ「０」と、スイッチＳＷ３の設定フラグ「０」と、スイッチＳＷ４の設定フラグ「０」と、スイッチＳＷ５の設定フラグ「０」とが関連づけられている。また、例えば、スイッチ設定番号「２」には、スイッチＳＷ１の設定フラグ「１」と、スイッチＳＷ２の設定フラグ「０」と、スイッチＳＷ３の設定フラグ「０」と、スイッチＳＷ４の設定フラグ「０」と、スイッチＳＷ５の設定フラグ「０」とが関連づけられている。その他のスイッチ設定番号「３〜３２」についても同様に、各スイッチ設定番号に対応する各スイッチＳＷ１〜ＳＷ５の設定フラグが関連づけられているので、その説明を省略する。
【００２８】
後述するインピーダンス整合処理（図５参照）において、スイッチ設定番号「１」に応じた設定に、各スイッチＳＷ１〜ＳＷ５を切り替えるという命令が実行されると、ＣＰＵ１１により、スイッチ設定テーブルの内容が参照され、スイッチ設定番号「１」に対応する各スイッチＳＷ１〜ＳＷ５の設定フラグが読み取られる。そして、ＣＰＵ１１により、各スイッチＳＷ１〜ＳＷ５に対して、読み取った設定フラグに対応する指示が入力され、各スイッチの状態が、読み取った設定フラグに応じた状態へと切り替えられる。
【００２９】
図１に戻り、説明を続ける。ＲＡＭ１３は、書き替え可能な揮発性のメモリであり、ＭＦＰ１の各操作の実行時に各種のデータを一時的に記憶するためのメモリである。このＲＡＭ１３には、スイッチ設定番号メモリ１３ａと、検出音量メモリ１３ｂと、整合終了フラグメモリ１３ｃとが設けられている。各メモリ１３ａ〜１３ｃはそれぞれ、後述するインピーダンス整合処理（図５参照）により値が設定されるメモリである。
【００３０】
ここで簡単に、電話回線網１００と、インピーダンス整合処理（図５参照）によって行われる処理とについて説明する。
【００３１】
ＭＦＰ１が相手側の通信装置（図示しない）を発呼し、電話回線網１００を介して相手側の通信装置と接続される場合、まず、ＭＦＰ１が、電話回線Ｌを介して、ＭＦＰ１が設置された地域の回線交換処理を行う電話交換機（以下、「ＭＦＰ１側の電話交換機」と称する）と接続される。次に、ＭＦＰ１側の電話交換機は、基幹通信回線と呼ばれる専用線を介して、相手側の通信装置が設置された地域の回線交換処理を行う電話交換機（以下、「相手側の電話交換機」と称する）と接続される。すると、この相手側の電話交換機と相手側の通信装置とが電話回線Ｌを介して接続され、発呼側のＭＦＰ１と相手側の通信装置との間が、通話可能に接続されることになる。
【００３２】
ここで、ＭＦＰ１において送受話器２４のマイクロフォン（以下、「マイク」と称する）２４ａに音声が入力されると、音声が音声信号に変換され電話回線Ｌに入力される。そして、通常は、入力された音声信号が電話回線Ｌを通り、ＭＦＰ１側の電話交換機へと到達すると、基幹通信回線を介して相手側の電話交換機へと送信されて、その相手側の電話交換機から相手側の通信装置へと送信される。その音声信号が相手側の通信装置によって受信されると、音声信号が音声に変換されて放音される。
【００３３】
ところが、ＭＦＰ１と、ＭＦＰ１と接続されている電話回線Ｌとのインピーダンスが不整合であると、２線−４線変換回路２５を介して電話回線Ｌに入力されるべき音声信号が、一部、２線−４線変換回路２５から送受話器２４のスピーカ２４ｂへ回り込むという現象が生じる。以下、２線−４線変換回路２５から送受話器２４のスピーカ２４ｂへ回り込む音声信号のことを、側音信号Ｒと称する。この側音信号Ｒが生じると、送受話器２４のスピーカ２４ｂから放音される音声に反響（エコー）が生じるので、ユーザは通話に違和感や不快感を感じる。つまり、側音信号Ｒが生じると、通話品質が低下してしまう。
【００３４】
また、一概に電話回線Ｌと言っても、近年では、アナログ回線や、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線や、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線や、光ファイバー回線など、多種多様な回線が存在している。よって、ユーザが利用する電話回線Ｌの種別や、ＭＦＰ１からＭＦＰ１側の電話交換機までの電話回線Ｌの線路長などの違いにより、ＭＦＰ１が接続される電話回線Ｌのインピーダンスが大きく異ってしまう。つまり、ユーザの利用環境により、ＭＦＰ１が接続される電話回線Ｌのインピーダンスが大きく異なるため、インピーダンスの整合が困難となっている。
【００３５】
そこで、インピーダンス整合処理（図５参照）を行って、２線−４線変換回路２５の中に設けられている５のスイッチＳＷ１〜ＳＷ５の状態を切り替えて、ＭＦＰ１と、ＭＦＰ１が接続される電話回線Ｌとのインピーダンスを整合させる。また、インピーダンスが整合されたかを検出するために、モデム２３のトーン信号発生回路２３ａによりトーン信号Ｓ（例えば、周波数が「１ｋＨｚ」で音量が「−１０ｄＢｍ」ある音を示す電気信号）を発生させて電話回線Ｌに入力し続ける。そして、スイッチ設定番号「１」から「３２」まで順番に各スイッチＳＷ１〜ＳＷ５の状態を、そのスイッチ設定番号に応じた設定に切り替えながら、２線−４線変換回路２５から送受話器２５に回り込む側音信号Ｒの大きさを、トーン信号検出回路２３ｂにより検出する。
【００３６】
ここで図１に戻り、説明を続ける。ＲＡＭ１３のスイッチ設定番号メモリ１３ａは、インピーダンス整合処理（図５参照）が実行開始されてから、インピーダンスを整合する設定に使用したスイッチ設定番号の中で、トーン信号検出回路２３ｂにより検出された側音信号Ｒの大きさが最も小さかったスイッチ設定番号が記憶されるメモリである。なお、初期化された場合には、スイッチ設定番号「１」が記憶される。
【００３７】
検出音量メモリ１３ｂは、インピーダンス整合処理（図５参照）が実行開始されてから、トーン信号検出回路２３ｂにより検出された側音信号Ｒの大きさの中で、最も小さかった値が記憶されるメモリである。なお、初期化された場合には、モデム２３のトーン信号発生回路２３ａから出力されるトーン信号Ｓの音量が（例えば、「−１０ｄＢｍ」）が記憶される。
【００３８】
整合終了フラグメモリ１３ｃは、インピーダンス整合処理（図５参照）が実行された場合に、ＭＦＰ１と、ＭＦＰ１が接続される電話回線Ｌとのインピーダンスを整合させることができたか否かを示す整合終了フラグが記憶されるメモリある。
【００３９】
具体的には、インピーダンス整合処理（図５参照）において、トーン信号検出回路２３ｂにより検出された側音信号Ｒの大きさが、規定値（例えば、「−３０ｄＢｍ」）以下であった場合に、整合終了フラグがオン（例えば、「１」）に設定され、全て（３２通り）のスイッチ設定番号の設定を試みたが、側音信号Ｒの大きさが全て既定値を超えていた場合にオフ（例えば、「０」）に設定される。なお、初期化された場合には、オフ（例えば、「０」）に設定される。
【００４０】
フラッシュメモリ１４は書換可能な不揮発性のメモリであり、このフラッシュメモリ１４に記憶されたデータは、ＭＦＰ１の電源オフ後も保持される。フラッシュメモリ１４には、送話音量レベルメモリ１４ａと、受話音量レベルメモリ１４ｂとが設けられている。
【００４１】
送話音量レベルメモリ１４ａは、送受話器２４のマイク２４ａの送話音量レベルが記憶されるメモリである。送話音量レベルとは、マイク２４ａに音声が入力された場合にマイク２４ａから出力される音声信号の大きさを示し、例えば「１」から「７」までの値で示される。この値が小さいほどマイク２４ａから出力される音声信号の大きさが小さくなり、この値が大きいほど出力される音声信号の大きさが大きくなる。なお、初期状態では「４」に設定されている。
【００４２】
受話音量レベルメモリ１４ｂは、送受話器２４のスピーカ２４ｂの受話音量レベルが記憶されるメモリである。受話音量レベルとは、スピーカ２４ｂに音声信号が入力された場合にスピーカ２４ｂから放音される音の大きさを示し、例えば「１」から「７」までの値で示される。この値が小さいほどスピーカ２４ｂから放音される音の大きさが小さくなり、この値が大きいほど放音される音の大きさが大きくなる。なお、初期状態では「４」に設定されている。
【００４３】
操作ボタン１５には、電話番号を入力するための数字ボタンや、スキャナ機能およびプリント機能などの各機能の設定を行うためのボタンや、各種動作の指示を行うための入力ボタンなどが設けられている。ＬＣＤ１６は、操作ボタン１５の操作に応じてメニューや動作状態などを表示するための表示デバイスである。ユーザは操作ボタン１５を操作することにより、その操作に対応する情報がＬＣＤ１６に表示される。
【００４４】
スキャナ２１は、所定の読取位置（非図示）にセットされた原稿から画像の読み取りを行うと共に、その画像をＬＣＤ１６に表示したりプリンタ２２で印刷可能な画像データを生成するものである。このスキャナ２１により読み取られた画像データは、ＲＡＭ１３における所定の記憶領域に記憶される。
【００４５】
プリンタ２２は、所定の給紙位置（非図示）にセットされた記録用紙に画像を印刷するインクジェット方式のプリンタで構成されている。プリンタ２２は、Ｃ（シアン）、Ｍ（マゼンダ）、Ｙ（イエロー）、Ｋ（ブラック）の４色のインクを使用する印刷ヘッド、紙送り装置、回復装置を備えカラー印刷を行う。印刷ヘッドには複数個のノズル（インク吐出口）が設けられており、ノズルからインク吐出を行いながら、紙送り装置で記録用紙を送り画像を記録用紙に印刷する。
【００４６】
モデム２３は、ファクシミリ機能によって送信する画像データを、電話回線網１００に伝送可能な音声信号に変調してＮＣＵ２６を介して送信したり、電話回線網１００からＮＣＵ２６を介して入力された音声信号を受信し、ＬＣＤ１６に表示したりプリンタ２１で記録用紙に記録できるように画像データへ復調するものである。
【００４７】
このモデム２３には、トーン信号発生回路２３ａと、トーン信号検出回路２３ｂとが設けられている。トーン信号発生回路２３ａは、トーン信号Ｓ（例えば、周波数が「１ｋＨｚ」で音量が「−１０ｄＢｍ」である音を示す電気信号）を発生させるための回路である。トーン信号発生回路２３ａにより発生させられたトーン信号Ｓは、２線−４線変換回路２５およびＮＣＵ２６を介して、電話回線Ｌに入力される。
【００４８】
トーン信号検出回路２３ｂは、ＭＦＰ１と、ＭＦＰ１が接続される電話回線Ｌとのインピーダンスの不整合により、２線−４線変換回路２５から送受話器２４のスピーカ２４ｂへ回り込む側音信号Ｒの大きさを検出する回路である。
【００４９】
送受話器２４は、電話回線網１００を介して接続される相手側の通信装置（図示しない）との間で、通話を行うための装置であり、マイク２４ａと、スピーカ２４ｂと、エコーキャンセル回路２４ｃとを有している。マイク２４ａと、スピーカ２４ｂとは、エコーキャンセル回路２４ｃを介して、２線−４変換回路２５と接続されている。
【００５０】
マイク２４ａは、入力された音を音声信号（電気信号）に変換して出力するものである。ＭＦＰ１が電話回線網１００を介して相手側の通信装置（図示しない）と通話可能に接続されている場合、ユーザは送受話器２４を用いて相手側の通信装置との間で通話を行うことができる。
【００５１】
ユーザから発せられる音声は、まず、このマイク２４ａに入力され、音声信号に変換される。そして、変換された音声信号は、フラッシュメモリ１４の送話音量レベルメモリ１４ａに記憶される送話音量レベルに応じた大きさに増幅され、２線−４線変換回路２５およびＮＣＵ２６を介して電話回線網１００に入力され、相手側の通信装置へと送信される。
【００５２】
スピーカ２４ｂは、入力された音声信号を音に変換して放音するものであり、相手側の通信装置（図示しない）から送信されてくる音声信号は、電話回線網１００を介してＭＦＰ１まで到達し、ＮＣＵ２６および２線−４線変換回路２５を介して、エコーキャンセル回路２４ｃを経由して、スピーカ２４ｂに入力される。そして、スピーカ２４ｂに入力された音声信号は、フラッシュメモリ１４の受話音量レベルメモリ１４ｂに記憶される受話音量レベルに応じた大きさに増幅されてから、音声に変換され放音される。
【００５３】
エコーキャンセル回路２４ｃは、通話中に反響（エコー）が生じる場合に、その反響を軽減させるための回路である。具体的には、マイク２４ａから出力される音声信号に基づいて、マイク２４ａから出力された音声信号に対し位相を反転させた信号（以下、「エコー抑制信号」と称する）を生成する。なお、マイク２４ａから出力される音声信号の一部が側音信号Ｒであるので、エコー抑制信号は、側音信号Ｒと逆位相の音声信号となる。
【００５４】
そして、反響が生じる遅延時間に合わせて、生成したエコー抑制信号と、電話回線１００を介して受信される音声信号とを混成する。電話回線１００を介して受信される音声信号には、側音信号Ｒが重なっているので、生成したエコー抑制信号と、電話回線１００を介して受信される音声信号とを混成することで、受信された音声信号に重なっている側音信号Ｒの大きさを小さくすることができる。そして、その混成された音声信号を、電話回線１００を介して受信される音声信号の代わりに、スピーカ２４ｂに入力する。つまり、スピーカ２４ｂからは、側音信号Ｒの大きさが小さい音が放音されることになるので、反響が軽減される。
【００５５】
また、エコーキャンセル回路２４ｃは、回線を介して受信された音信号の信号減衰量を、ＣＰＵ１１からの指示に応じて、数段階（例えば、「大、中、小」など）に可変することができる。
【００５６】
２線−４線変換回路２５は、ＭＦＰ１と、ＭＦＰ１が接続される電話回線Ｌとのインピーダンスを整合させるための回路である。ＮＣＵ２６は、電話回線網１００と接続されており、電話回線網１００へのダイヤル信号の送出や、電話回線網１００からの呼出信号の応答などの制御を行うものである。
【００５７】
ここで、図３を参照して、２線−４線変換回路２５について説明する。図３は、２線−４線変換回路２５の回路構成の一例を示す回路図である。なお、本来は、２線−４線変換回路２５と電話回線Ｌとは、ＮＣＵ２６を介して接続されているが、ここでは、説明を簡単にするために、ＮＣＵ２６についての説明は省略する。つまり、２線−４線変換回路２５と電話交換機との間が、電話回線Ｌのみで接続されているものとして説明する。
【００５８】
２線−４線変換回路２５は、ＭＦＰ１と、ＭＦＰ１が接続される電話回線Ｌとのインピーダンスを整合させるための回路であり、トランス回路４１と、受信アンプ回路４２と、送信アンプ回路４３と、切換回路４４と、インピーダンス整合回路４５とにより構成されている。
【００５９】
トランス回路４１は、電話回線ＬとＭＦＰ１とを電気的に絶縁するための回路であり、ライントランスＬＴと、信号の直流分をカットするための結合用コンデンサＣ１とにより構成されている。
【００６０】
ライントランスＬＴの１次側の一端には、２線で構成される電話回線Ｌの一方が接続され、ライントランスＬＴの１次側の他端には、電話回線Ｌの他方が接続されている。また、ライントランスＬＴの２次側の一端には、結合用コンデンサＣ１の一端が接続され、ライントランスＬＴの２次側の他端は、グランドＧＮＤに接続されている。結合用コンデンサＣ１の他端は、（後述する）インピーダンス整合回路４５のスイッチＳＷ１の一端および抵抗Ｒ７の一端と、（後述する）受信アンプ回路４５の抵抗Ｒ１の一端とにそれぞれ接続されている。
【００６１】
受信アンプ回路４２は、電話回線Ｌから送信されてくる音声信号を所定のレベルに増幅するとともに、所定の周波数帯域以下の信号を通過させるローパスフィルタの機能を有するものである。
【００６２】
受信アンプ回路４２は、オペアンプＯＰ１と、抵抗Ｒ１，Ｒ２，Ｒ３と、コンデンサＣ２とにより構成されている。抵抗Ｒ１の一端には、（上述した）トランス回路４１の結合用コンデンサＣ１の他端と、（後述する）インピーダンス整合回路４５のスイッチＳＷ１の一端および抵抗Ｒ７の一端とがそれぞれ接続されている。
【００６３】
オペアンプＯＰ１の負極側入力端子には、抵抗Ｒ１の他端と、抵抗Ｒ３の一端と、コンデンサＣ２の一端とがそれぞれが接続され、抵抗Ｒ３の他端には、コンデンサＣ２の他端と、オペアンプＯＰ１の出力端子と、（後述する）切換回路４４のスイッチＳＷ７の一端とがそれぞれ接続されている。
【００６４】
また、オペアンプＯＰ１の正極側入力端子には、抵抗Ｒ２の一端が接続され、抵抗Ｒ２の他端には、（後述する）インピーダンス整合回路４５の抵抗Ｒ９の一端、抵抗Ｒ１０の一端、インピーダンスブロックＺ２の一端、インピーダンスブロックＺ３の一端、スイッチＳＷ４の一端、及びスイッチＳＷ５の一端とがそれぞれ接続されている。
【００６５】
送信アンプ回路４３は、モデム２３のトーン信号発生回路２３ａ、または、送受話器２４のマイク２４ａから出力される音声信号を所定のレベルに増幅するとともに、所定の周波数帯域以下の信号を通過させるローパスフィルタの機能を有するものである。
【００６６】
送信アンプ回路４３は、オペアンプＯＰ２と、信号の直流分をカットするための結合用コンデンサＣ５と、抵抗Ｒ４，Ｒ５，Ｒ６と、コンデンサＣ３，Ｃ４とにより構成されている。オペアンプＯＰ２の負極側入力端子には、抵抗Ｒ５の一端と、抵抗Ｒ４の一端と、コンデンサＣ４の一端がそれぞれ接続され、抵抗Ｒ５の他端には、（後述する）切換回路４４のスイッチＳＷ６の一端が接続されている。
【００６７】
抵抗Ｒ４の他端には、コンデンサＣ４の他端と、結合用コンデンサＣ５の一端と、オペアンプＯＰ２の出力端子とがそれぞれ接続され、結合用コンデンサＣ５の他端には、（後述する）インピーダンス整合回路４５のインピーダンスブロックＺ１の一端、抵抗Ｒ７の他端と、抵抗Ｒ８の一端とがそれぞれ接続されている。
【００６８】
オペアンプＯＰ２の正極側入力端子には、コンデンサＣ３の一端と、抵抗Ｒ６の一端とがそれぞれ接続され、コンデンサＣ３の他端はグランドＧＮＤに接続され、抵抗Ｒ６の他端には、電圧「＋５ＶＤＣ」が印加されている。
【００６９】
切換回路４４は、モデム２３を電話回線Ｌに接続するのか、送受話器２４を電話回線Ｌに接続するのかを切り換えるための回路であり、スイッチＳＷ６と、スイッチＳＷ７とにより構成されている。これらのスイッチＳＷ６，ＳＷ７は、一端側に１つの接続端子が設けられ、他端側に２つの接続端子（接続端子Ａ、接続端子Ｂ）が設けられており、ＣＰＵ１１の指令によって、一端側の接続端子が、他端側の接続端子（接続端子Ａ、接続端子Ｂ）の何れか一方と接続される。例えば、ＣＰＵ１１からハイ信号が入力されている間は、各スイッチＳＷ６，ＳＷ７の一端と、他端側の接続端子Ａが接続され、ロウ信号が入力されている間は、各スイッチＳＷ６，ＳＷ７の一端と、他端側の接続端子Ｂが接続される。
【００７０】
より具体的には、本実施形態では、接続端子Ａにモデム２３が接続され、接続端子Ｂに送受話器２４が接続されている。すなわち、スイッチＳＷ６の一端側の接続端子には、（上述した）送信アンプ回路４３の抵抗Ｒ５の他端が接続され、スイッチＳＷ６の他端側の接続端子Ａには、モデム２３のトーン信号発生回路２３ａの出力端子が接続され、スイッチＳＷ６の他端側の接続端子Ｂには、送受話器２４のマイク２４ａの出力端子が接続されている。
【００７１】
また、スイッチＳＷ７の一端側の接続端子には、（上述した）受信アンプ回路４２のオペアンプＯＰ１の出力端子と、抵抗Ｒ３の他端と、コンデンサＣ２の他端とが接続されている。スイッチＳＷ７の他端側の接続端子Ａには、モデム２３のトーン信号検出回路２３ｂの入力端子が接続され、スイッチＳＷ７の他端側の接続端子Ｂには、送受話器２４の（）エコーキャンセル回路２４ｃを介して）スピーカ２４ｂが接続されている。
【００７２】
インピーダンス整合回路４５は、ＭＦＰ１と、ＭＦＰ１が接続される電話回線Ｌとのインピーダンスを整合させるための回路であり、インピーダンスブロックＺ１，Ｚ２，Ｚ３，Ｚ４，Ｚ５と、スイッチＳＷ１，ＳＷ２，ＳＷ３，ＳＷ４，ＳＷ５と、抵抗Ｒ７，Ｒ８，Ｒ９，Ｒ１０とにより構成されている。
【００７３】
インピーダンスブロックＺ１〜Ｚ５は、回路素子である抵抗、コイル、及びコンデンサのうち、複数の回路素子を並列、直列、又は並列と直列とを組み合わせて接続し構成された回路ブロックであり、各インピーダンスブロックＺ１〜Ｚ５の両端を測定すると、それぞれ所定のインピーダンス特性を有するように構成されている。なお、各インピーダンスブロックＺ１〜Ｚ５のインピーダンスは、それぞれ異なっていても良いし、全て同じでも良いし、一部が同じであっても良い。
【００７４】
スイッチＳＷ１〜ＳＷ５は、ＣＰＵ１１からの指示に従って、両端に接続されている回路素子を互いに接続するか（以後、スイッチがオンすると称する）、回路素子の互いの接続を切り離すよう（以後、スイッチがオフすると称する）に構成されている。例えば、ＣＰＵ１１からハイ信号が入力されている間は、スイッチＳＷ１〜ＳＷ５がオンされて、各スイッチＳＷ１〜ＳＷ５の両端が接続（短絡）され、ロウ信号が入力されている間は、スイッチＳＷ１〜ＳＷ５がオフされ、スイッチＳＷ１〜ＳＷ５の両端が開放される。
【００７５】
スイッチＳＷ１の一端には、（上述した）トランス回路４１の結合用コンデンサＣ１の他端と、抵抗Ｒ７の一端と、（上述した）受信アンプ回路４２の抵抗Ｒ１の一端とがそれぞれ接続されている。
【００７６】
スイッチＳＷ１の他端には、インピーダンスブロックＺ１の他端が接続され、インピーダンスブロックＺ１の一端には、抵抗Ｒ７の他端と、抵抗Ｒ８の一端と、（上述した）受信アンプ回路４２の結合用コンデンサＣ５の他端とがそれぞれ接続されている。
【００７７】
抵抗Ｒ８の他端には、スイッチＳＷ２の一端と、スイッチＳＷ３の一端と、抵抗Ｒ９の他端とが接続され、スイッチＳＷ２の他端にはインピーダンスブロックＺ２の他端が接続され、スイッチＳＷ３の他端にはインピーダンスブロックＺ３の他端が接続されている。
【００７８】
インピーダンスブロックＺ２の一端には、インピーダンスブロックＺ３の一端と、抵抗Ｒ９の一端と、抵抗Ｒ１０の一端と、スイッチＳＷ４の一端と、スイッチＳＷ５の一端と、（上述した）受信アンプ回路４２の抵抗Ｒ２の他端とがそれぞれ接続されている。
【００７９】
スイッチＳＷ４の他端にはインピーダンスブロックＺ４の一端が接続され、スイッチＳＷ５の他端にはインピーダンスブロックＺ５の一端が接続されている。インピーダンスブロックＺ４の他端には、インピーダンスブロックＺ５の他端と、抵抗Ｒ１０の他端が接続されると共に、リファレンス電圧ＲＥＦが印加されている。
【００８０】
上述した２線−４線変換回路２５によれば、スイッチＳＷ６，ＳＷ７を切り替えることによって、モデム２３および送受話器２４の何れか一方を選択的に、電話回線Ｌに接続することができる。
【００８１】
そして、例えば、スイッチＳＷ１をオンすると、インピーダンスブロックＺ１が、抵抗Ｒ７に対して並列に接続されるので、受信アンプ回路４２および送信アンプ回路４３とトランス４１との間の経路のインピーダンスが変化する。また、スイッチＳＷ２をオンすると、インピーダンスブロックＺ２が、抵抗Ｒ９に対して並列に接続されるので、受信アンプ回路４２および送信アンプ回路４３とトランス４１との間の経路のインピーダンスが変化する。その他のスイッチＳＷ３〜ＳＷ５関しても同様に、スイッチをオンすると、受信アンプ回路４２および送信アンプ回路４３とトランス４１との間の経路のインピーダンスが変化する。
【００８２】
つまり、スイッチＳＷ１〜ＳＷ５をオン、オフすることにより、受信アンプ回路４２および送信アンプ回路４３とトランス４１との間の経路のインピーダンスを変化させることができるので、電話回線Ｌの種別（アナログ回線や、ＩＳＤＮ回線や、ＡＤＳＬ回線や、光ファイバー回線など）や、ＭＦＰ１からＭＦＰ１側の電話交換機までの電話回線Ｌの線路長などの違いによって、ＭＦＰ１が接続される電話回線Ｌのインピーダンスが大きく異ってしまう場合でも、ＭＦＰ１と、ＭＦＰ１が接続される電話回線Ｌとのインピーダンスを整合させることができる。
【００８３】
次に、図４を参照して、ＭＦＰ１のＣＰＵ１１により実行される音質調整処理について説明する。図４は、ＭＦＰ１の音質調整処理を示すフローチャートである。この音質調整処理は、通話中に生じる反響（エコー）を低下させるための処理であり、ＭＦＰ１の主電源が投入された場合に実行される処理である。この音質調整処理では、まず、ＭＦＰ１側の電話交換機との間の電話回線Ｌを閉結し（Ｓ１）、インピーダンス整合処理を実行する（Ｓ２）。
【００８４】
ここで、図５を参照して、ＭＦＰ１のＣＰＵ１１により実行されるインピーダンス整合処理（Ｓ２）について説明する。図５は、ＭＦＰ１のインピーダンス整合処理（Ｓ２）を示すフローチャートである。このインピーダンス整合処理（Ｓ２）は、ＭＦＰ１と、ＭＦＰ１が接続される電話回線Ｌとのインピーダンスを整合させる処理である。
【００８５】
このインピーダンス整合処理（Ｓ２）では、まず、ＲＡＭ１３のスイッチ設定番号メモリ１３ａ、検出音量メモリ１３ｂ、および整合終了フラグメモリ１３ｃをそれぞれ初期化する（Ｓ１１）。それぞれが初期化されると、スイッチ設定番号メモリ１３ａには、スイッチ設定番号「１」が記憶され、検出音量メモリ１３ｂには、トーン信号Ｓの音量（例えば、「−１０ｄＢｍ」）が記憶され、整合終了フラグメモリ１３ｃの整合終了フラグがオフに設定される。
【００８６】
次に、モデム２３のトーン信号発生回路２３ａによりトーン信号Ｓ（例えば、周波数が「１ｋＨｚ」で音量が「−１０ｄＢｍ」である音を示す電気信号）を発生させ、電話回線Ｌに入力する（Ｓ１２）。なお、ここでは、２線−４線変換回路２５のスイッチＳＷ６およびＳＷ７が切り替えられて、電話回線Ｌにモデム２３が接続された状態に設定されている。
【００８７】
そして、変数ｎの値を「０」に初期化し（Ｓ１３）、変数ｎに「１」を加算する（Ｓ１４）。次に、ＲＯＭ１２のスイッチ設定テーブルメモリ１２ａのスイッチ設定テーブルを参照し、変数ｎの値に対応する各スイッチＳＷ１〜ＳＷ５の設定（設定フラグ）を取得する（Ｓ１５）。そして、取得した各スイッチＳＷ１〜ＳＷ５の設定（設定フラグ）に基づいて、各スイッチＳＷ１〜ＳＷ５の設定を変更する（Ｓ１６）。
【００８８】
次に、モデム２３のトーン信号検出回路２３ｂにより、側音信号Ｒ（すなわち、受信アンプ回路４２に回り込んだ一部のトーン信号Ｓ）検出し、その側音信号Ｒの音量を取得する（Ｓ１７）。取得した側音信号Ｒの音量が、規定値（例えば、「−３０ｄＢｍ」）以下であるかを判定し（Ｓ１８）、取得した側音信号Ｒの音量が、規定値以下である場合は（Ｓ１８：Ｙｅｓ）、ＲＡＭ１３の整合終了フラグメモリ１３ｃに記憶されている整合終了フラグをオンに設定し（Ｓ２６）、このインピーダンス整合処理を終了する。
【００８９】
Ｓ１８の処理において、取得した側音信号Ｒの音量が、規定値（例えば、「−３０ｄＢｍ」）を超えている場合は（Ｓ１８：Ｎｏ）、取得した側音信号Ｒの音量が、ＲＡＭ１３の検出音量メモリ１３ｂに記憶されている音量より小さいかを判定する（Ｓ１９）。
【００９０】
Ｓ１９の処理において、取得した側音信号Ｒの音量が、検出音量メモリ１３ｂに記憶されている音量より小さい場合は（Ｓ１９：Ｙｅｓ）、取得した側音信号Ｒの音量を、検出音量メモリ１３ｂに記憶し、変数ｎの値を、ＲＡＭ１３のスイッチ設定番号メモリ１３ａに記憶する（Ｓ２０）。Ｓ１９の処理において、取得した側音信号Ｒの音量が、検出音量メモリ１３ｂに記憶されている音量以上である場合は（Ｓ１９：Ｎｏ）、Ｓ２０の処理をスキップして、Ｓ２１の処理へ移行する。
【００９１】
次に、変数ｎの値が「３２」であるかを判定し（Ｓ２１）、変数ｎの値が「３２」に達していない場合は（Ｓ２１：Ｎｏ）、Ｓ１４の処理に戻り、上述したＳ１４〜Ｓ２１の各処理を繰り返す。一方、変数ｎの値が「３２」である場合は（Ｓ２１：Ｙｅｓ）、各スイッチＳＷ１〜ＳＷ５の状態を設定可能な全ての状態（３２通りの状態）に設定したが、それでも、側音信号Ｒの音量を規定値（例えば、「−３０ｄＢｍ」）以下にできなかったことになる。
【００９２】
その場合は、まず、モデム２３のトーン信号発生回路２３ａにより発生させ続けているトーン信号Ｓの発生を停止させる（Ｓ２２）。次に、ＲＯＭ１２のスイッチ設定テーブルメモリ１２ａのスイッチ設定テーブルを参照し、ＲＡＭ１３のスイッチ設定番号メモリ１３ａに記憶されているスイッチ設定番号に対応する各スイッチＳＷ１〜ＳＷ５の設定（設定フラグ）を取得する（Ｓ２３）。
【００９３】
そして、取得した各スイッチＳＷ１〜ＳＷ５の設定（設定フラグ）に基づいて、各スイッチＳＷ１〜ＳＷ５の設定を変更し（Ｓ２４）、ＲＡＭ１３の整合終了フラグメモリ１３ｃに記憶されている整合終了フラグをオフに設定し（Ｓ２５）、このインピーダンス整合処理を終了する。
【００９４】
以上の図５のフローチャートのインピーダンス整合処理により、ＭＦＰ１と、ＭＦＰ１が接続される電話回線Ｌとのインピーダンスを適切に整合させることができる。具体的には、側音信号Ｒの音量が規定値（例えば、「−３０ｄＢｍ」）以下となるように、ＭＦＰ１と、ＭＦＰ１が接続される電話回線Ｌとのインピーダンスを整合させることができる。例えば、規定値を、通話中に反響（エコー）が生じても、ユーザが違和感や不快感を感じない程度の大きさの側音信号Ｒの音量（例えば、「−３０ｄＢｍ」）としておけば、ユーザは、通話中に違和感や不快感を感じずに、快適に通話を行うことができるので、通話品質を一定レベル以上に維持することができる。また、各スイッチＳＷ１〜ＳＷ５の状態を設定可能な全ての状態（３２通りの状態）に設定しなくても、規定値以下となったら、このインピーダンス整合処理を終了するので、インピーダンス整合処理および音質調整処理の実行時間を短縮することができる。
【００９５】
また、各スイッチＳＷ１〜ＳＷ５の状態を設定可能な全ての状態（３２通りの状態）に設定しても、側音信号Ｒの音量が規定値（例えば、「−３０ｄＢｍ」）以下にならかった場合には、側音信号Ｒの音量が最も小さくなるように、各スイッチＳＷ１〜ＳＷ５の状態を設定することができる。つまり、ＭＦＰ１と、ＭＦＰ１が接続される電話回線Ｌとのインピーダンスを可能な範囲で適切に整合させることができる。よって、側音信号Ｒの音量が規定値以下にならない場合でも、側音信号Ｒの発生を最も低下させることができるので、送受話器２４のスピーカ２４ｂに入力される側音信号Ｒを最も低下させて、反響（エコー）を最も抑制することができる。従って、通話中に生じる反響を抑制して通話品質を向上させることができる。
【００９６】
ここで、図４のフローチャートの説明に戻る。Ｓ２の処理が終了すると、次に、電話交換機との間で閉結されている電話回線Ｌを開放する（Ｓ３）。そして、ＲＡＭ１３の整合終了フラグメモリ１３ｃに記憶されている整合終了フラグがオンであるかを判定し（Ｓ４）、整合終了フラグがオンである場合は（Ｓ４：Ｙｅｓ）、ＭＦＰ１と、ＭＦＰ１が接続される電話回線Ｌとのインピーダンスの整合が取れており、側音信号Ｒの音量が、規定値（例えば、「−３０ｄＢｍ」）以下であるので、Ｓ５〜Ｓ８の処理をスキップして、この音質調整処理を終了する。
【００９７】
Ｓ４の処理において、整合終了フラグがオフである場合は（Ｓ４：Ｎｏ）、側音信号Ｒの音量が、規定値（例えば、「−３０ｄＢｍ」）を超えており、通話中に反響（エコー）が生じるので、反響を抑制する処理を行う。
【００９８】
まず、ＲＡＭ１３の検出音量メモリ１３ｂに記憶されている音量と、規定値（例えば、「−３０ｄＢｍ」）との差分が、「６ｄＢ」以下であるかを判定し（Ｓ５）、検出音量メモリ１３ｂに記憶されている音量と、規定値との差分が「６ｄＢ」以下である場合は（Ｓ５：Ｙｅｓ）、フラッシュメモリ１４の送話音量レベルメモリ１４ａの送話音量レベルを、規定値との差分だけ小さく設定し（Ｓ６）、この音質調整処理を終了する。
【００９９】
例えば、検出音量メモリ１３ｂの音量が「−２８ｄＢｍ」であり、規定値（「−３０ｄＢｍ」）である場合には、規定値との差分だけ、マイク２４ａから出力される音声信号の大きさを低下させることになる。例えば、フラッシュメモリ１４の送話音量レベルメモリ１４ａの送話音量レベルを「１」下げると、マイク２４ａから出力される音声信号の大きさが「１ｄＢ」低下する場合には、規定値との差分が「２ｄＢ」であるので、送話音量レベルメモリ１４ａの送話レベルが「２」下げられる。
【０１００】
Ｓ５の処理において、ＲＡＭ１３の検出音量メモリ１３ｂに記憶されている音量と、規定値との差分が「６ｄＢ」を超えている場合は（Ｓ５：Ｎｏ）、フラッシュメモリ１４の送話音量レベルメモリ１４ａの送話音量レベルを、「６ｄＢ」小さく設定する（Ｓ７）。ここで、規定値との差分だけ送話音量レベルを下げるのではなく、「６ｄＢ」だけ下げているのは、マイク２４ａから送信される音声信号の大きさが小さくなりすぎて、相手側の通信装置で音が聞き取れなくなることを抑制するためである。次に、送受話器２４のエコーキャンセル回路２４ｃの信号減衰量を「大」に設定し（Ｓ８）、つまり、エコーキャンセル効果を最大に設定して、この音質調整処理を終了する。
【０１０１】
以上の図４のフローチャートの音質調整処理により、側音信号Ｒの音量に応じて、マイク２４ａから送信される音声信号の大きさを小さくし、発生する側音信号Ｒの大きさを小さくすることができる。よって、送受話器２４のスピーカ２４ｂに入力される側音信号Ｒが小さくなるので、通話中に生じる反響（エコー）を抑制することができる。
【０１０２】
また、側音信号Ｒの音量と、規定値（「−３０ｄＢｍ」）との差分が、「６ｄＢ」以下である場合には、マイク２４ａから送信される音声信号の大きさを、その差分だけ下げて、通話中に生じる反響（エコー）を抑制することができる。よって、マイク２４ａから送信される音声信号の大きさが、必要以上に小さくなりすぎることを抑制することができる。
【０１０３】
また、側音信号Ｒの音量と、規定値（「−３０ｄＢｍ」）との差分が、「６ｄＢ」を超えている場合には、マイク２４ａから送信される音声信号の大きさを「６ｄＢ」だけ下げて、且つ、エコーキャンセル回路２４ｃによるエコーキャンセル効果を最大に設定することができる。よって、通話中に生じる反響（エコー）を抑制することができる。また、側音信号Ｒの音量と、規定値との差分が大きい（「６ｄＢ」を超えている）場合でも、一定量（「６ｄＢ」）までしか、マイク２４ａから送信される音声信号の大きさが低下しないので、マイク２４ａから送信される音声信号の大きさが小さくなりすぎて、相手側の通信装置で音が聞き取れなくなることを抑制することができる。
【０１０４】
以上、実施形態に基づき本発明を説明したが、本発明は上述した実施形態に何ら限定されるものではなく、本発明の趣旨を逸脱しない範囲内で種々の改良変更が可能であることは容易に推察できるものである。例えば、上記各実施の形態で挙げた数値は一例であり、他の数値を採用することは当然可能である。
【０１０５】
例えば、本実施形態のＭＦＰ１では、ＭＦＰ１と、ＭＦＰ１が接続される電話回線Ｌとのインピーダンスの不整合により、２線−４線変換回路２５において生じる側音信号Ｒの大きさを検出しているが、トーン信号Ｓが電話回線Ｌに入力された後に、ＭＦＰ１側の電話交換機から電話回線Ｌを通り戻ってくるトーン信号Ｓ（以下、「反射トーン信号」と称する）の大きさを検出しても良い。ＭＦＰ１が接続されている電話回線Ｌと、ＭＦＰ１側の電話交換機とのインピーダンスが不整合であると、反射トーン信号が生じ、それが電話回線Ｌを通りＭＦＰ１へ戻り、スピーカ２４ｂから放音され、反響（エコー）が発生する。そのような場合には、反射トーン信号の大きさが最も小さくなるように、ＭＦＰ１と、ＭＦＰ１側の電話交換機との間の経路のインピーダンスを整合させれば、ＭＦＰ１へ戻る反射トーン信号の大きさを低下させることができるので、反響（エコー）を抑制して通話品質を向上させることができる。また、反射トーン信号および側音信号Ｒの大きさに基づいて、各経路のインピーダンスを整合させても良い。
【０１０６】
また、本実施形態では、トーン信号Ｓの一例として、周波数が「１ｋＨｚ」で音量が「−１０ｄＢｍ」である音を示す電気信号を用いているが、可聴帯域（「２０Ｈｚ〜２０ｋＨｚ）内の周波数であれば他の周波数を用いても良い。なお、本実施形態では、人が最も聞きやすいとされる「１ｋＨｚ」を用いている。
【０１０７】
また、本実施形態では、一種類のトーン信号Ｓしか使用していないが、複数の周波数（例えば、「５００Ｈｚ」、「２ｋＨｚ」など）のトーン信号Ｓを、別々に電話回線Ｌに入力しても良い。また、複数の周波数のトーン信号Ｓを（各周波数を重畳させて）同時に電話回線Ｌに入力しても良い。そして、電話回線Ｌに入力した各周波数について、側音信号Ｒや反射トーン信号を検出すれば、電話回線Ｌの周波数特性に応じて、各経路のインピーダンスを整合させることができるので、側音信号Ｒや反射トーン信号を低下させることができる。従って、スピーカ２４ｂに入力される側音信号Ｒや反射トーン信号を小さくすることができるので、通話中に生じる反響（エコー）を抑制して通話品質を向上させることができる。
【０１０８】
また、本実施形態のインピーダンス整合処理（図５参照）では、側音信号Ｒの音量が規定値以下となったら処理を終了するが、各スイッチＳＷ１〜ＳＷ５の状態を設定可能な全ての状態（３２通りの状態）に設定してから、その中で、側音信号Ｒの音量が最も小さくなる設定を用いるように構成しても良い。そうすることで、ＭＦＰ１と、ＭＦＰ１が接続される電話回線Ｌとのインピーダンスを最適に整合させることができるので、発生する側音信号Ｒの大きさを最も小さくすることができる。従って、送受話器２４のスピーカ２４ｂに入力される側音信号Ｒが最も小さくなるので、通話中に生じる反響（エコー）を最も抑制することができる。
【０１０９】
また、本実施形態では、２線−４線変換回路２５の中の各スイッチＳＷ１〜ＳＷ５の状態を切り替えて、受信アンプ回路４２および送信アンプ回路４３とトランス４１との間の経路のインピーダンスを可変させているが、受信アンプ回路４２および送信アンプ回路４３とトランス４１との間の経路のインピーダンスが固定値である場合でも、本実施形態を適用すれば、通話中に生じる反響（エコー）を抑制することができる。すなわち、側音信号Ｒの音量に応じて、マイク２４ａから送信される音声信号の大きさを小さくすれば、発生する側音信号Ｒの大きさを小さくすることができるので、送受話器２４のスピーカ２４ｂに入力される側音信号Ｒが小さくなり、通話中に生じる反響（エコー）を抑制することができる。
【０１１０】
また、本実施形態では、エコーキャンセル回路２４ｃが設けられているが、エコーキャンセル回路２４ｃを設けていない場合でも、本実施形態を適用すれば、通話中に生じる反響（エコー）を抑制することができる。すなわち、側音信号Ｒの音量に応じて、マイク２４ａから送信される音声信号の大きさを小さくすれば、発生する側音信号Ｒの大きさを小さくすることができるので、送受話器２４のスピーカ２４ｂに入力される側音信号Ｒが小さくなり、通話中に生じる反響（エコー）を抑制することができる。
【０１１１】
また、本実施形態のＭＦＰ１は、２線−４線変換回路２５において生じる側音信号Ｒの大きさを検出するという構成であるが、加えて、マイク２４ａから出力される音声信号の大きさを検出し、マイク２４ａから出力される音声信号の大きさが基準値を超える場合に、スピーカ２４ｂに入力される音声信号の大きさを低下させるように構成しても良い。ユーザから発せられる音声がマイク２４ａに入力されると側音信号Ｒが生じ、その側音信号がスピーカ２４ｂに入力されて反響（エコー）が生じる。そこで、ユーザから発せられる音声がマイク２４ａに入力されている間、スピーカ２４ｂに入力される音声信号を低下させれば、スピーカ２４ｂに入力される側音信号Ｒの大きさを小さくすることができるので、さらに反響（エコー）を抑制することができる。
【図面の簡単な説明】
【０１１２】
【図１】本発明の実施形態における通信装置を有したＭＦＰの電気的構成を示したブロック図である。
【図２】スイッチ設定テーブルの内容を模式的に示した模式図である。
【図３】２線−４線変換回路の回路構成の一例を示す回路図である。
【図４】ＭＦＰの音質調整処理を示すフローチャートである。
【図５】ＭＦＰのインピーダンス整合処理を示すフローチャートである。
【符号の説明】
【０１１３】
１                ＭＦＰ（通信装置の一例）
２３ａ            トーン信号発生回路（第２出力手段の一例）
２３ｂ            トーン信号検出回路（検出手段の一例）
２４ｃ            エコーキャンセル回路（信号減衰手段の一例）
２４ａ            マイク（第１出力手段の一例）
２４ｂ            スピーカ（放音手段の一例）
２５              ２線−４線変換回路（２線４線変換手段の一例）
Ｌ                電話回線（回線の一例）
Ｒ                側音信号の一例
Ｓ                トーン信号（調査信号の一例）
ＳＷ１〜ＳＷ５    スイッチ（接続手段の一例）
Ｚ１〜Ｚ５        インピーダンスブロック（インピーダンス回路の一例）
Ｓ４〜Ｓ７        信号制御手段の一例
Ｓ４、Ｓ１８      第１判定手段の一例
Ｓ５              算出手段の一例
Ｓ８              入力制御手段の一例
Ｓ２３，Ｓ２４    接続制御手段の一例
【図１】
0004853488.tif 000002
【図２】
0004853488.tif 000003
【図３】
0004853488.tif 000004
【図４】
0004853488.tif 000005
【図５】
0004853488.tif 000006